(57)【要約】【課題】ＤＶＤローダーの読み出し性能が低い場合でも、ＪＰＥＧファイルやＭＰＥＧ４ファイルなどのレジューム再生を早めることができる複合型記録再生装置を提供する。【解決手段】ＤＶＤに記録されているファイルがＪＰＥＧやＭＰＥＧ４のファイルであるか否かが判定される。前記ファイルがＪＰＥＧやＭＰＥＧ４のファイルであると判定され、再生中に、停止操作が検知されると、再生再開時に必要なデータブロックがＤＶＤから読み出されてバッファデータとしてＨＤに書き込まれる。この後、レジューム再生させるため、再生再開要求が受け付けられると、ＤＶＤに対する要求アドレスがＨＤに対する要求アドレスに変換される。ＨＤに前記変換された要求アドレスが有ると判定されたとき、ＨＤ内の前記要求アドレスに対応するバッファデータが読み出される。再生再開時には、ＨＤから読み出されたバッファデータがデコードされる。【選択図】図４
0003126030.tif 000002
【実用新案登録請求の範囲】
【請求項１】
光ディスクに対して情報の記録／再生を行う光ディスク装置と、ハードディスクに対して情報の記録／再生を行うハードディスク装置とを備えた複合型記録再生装置において、
挿入された光ディスクに記録されているファイルがＪＰＥＧファイル／ＭＰＥＧ４ファイルであるか否かを判定するファイル判定手段と、
前記ファイルがＪＰＥＧファイル／ＭＰＥＧ４ファイルであると判定された後、ＪＰＥＧファイル／ＭＰＥＧ４ファイルのデータが再生されている時に停止操作を検知すると、再生再開時に必要なデータブロックを前記光ディスクから読み出してバッファデータとして前記ハードディスクに書き込ませるバッファデータ書き込み手段と、
再生再開要求を受け付けたときに、前記光ディスクに対する要求アドレスを前記ハードディスクに対する要求アドレスに変換する要求アドレス変換手段と、
前記ハードディスク内に前記変換された要求アドレスが有るか否かを判定する要求アドレス有無判定手段と、
前記ハードディスク内に前記変換された要求アドレスが有ると判定されたときに、前記ハードディスク内の前記要求アドレスに対応するバッファデータを読み出すバッファデータ読み出し手段と、
前記光ディスクからの再生再開時に必要なデータブロックをデコーダに与えてデコードさせる代わりに、前記ハードディスクから読み出されたバッファデータを前記デコーダに与えてデコードさせるデコード制御手段と、を有するシステムコントローラを備えたことを特徴とする複合型記録再生装置。
【請求項２】
光ディスクに対して情報の記録／再生を行う光ディスク装置と、ハードディスクに対して情報の記録／再生を行うハードディスク装置とを備えた複合型記録再生装置において、
挿入された光ディスクに記録されているファイルが所定の圧縮方式で圧縮された静止画ファイル／動画ファイルであるか否かを判定するファイル判定手段と、
前記ファイルが所定の圧縮方式で圧縮された静止画ファイル／動画ファイルであると判定された後、所定の圧縮方式で圧縮された静止画ファイル／動画ファイルのデータが再生されている時に停止操作を検知すると、再生再開時に必要なデータブロックを前記光ディスクから読み出してバッファデータとして前記ハードディスクに書き込ませるバッファデータ書き込み手段と、
再生再開要求を受け付けたときに、前記光ディスクに対する要求アドレスを前記ハードディスクに対する要求アドレスに変換する要求アドレス変換手段と、
前記ハードディスク内に前記変換された要求アドレスが有るか否かを判定する要求アドレス有無判定手段と、
前記ハードディスク内に前記変換された要求アドレスが有ると判定されたときに、前記ハードディスク内の前記要求アドレスに対応するバッファデータを読み出すバッファデータ読み出し手段と、
前記光ディスクからの再生再開時に必要なデータブロックをデコーダに与えてデコードさせる代わりに、前記ハードディスクから読み出されたバッファデータを前記デコーダに与えてデコードさせるデコード制御手段と、を有するシステムコントローラを備えたことを特徴とする複合型記録再生装置。
【請求項３】
所定の圧縮方式で圧縮された静止画ファイル／動画ファイルとは、ＪＰＥＧファイル／ＭＰＥＧ４ファイルのようにＤＶＤビデオ規格のファイルとは異なる静止画ファイル／動画ファイルであることを特徴とする請求項２に記載の複合型記録再生装置。
【考案の詳細な説明】
【技術分野】
【０００１】
本考案は、光ディスクに対して情報の記録／再生を行う光ディスク装置と、ハードディスクに対して情報の記録／再生を行うハードディスク装置とを備えた複合型記録再生装置に関し、特に、光ディスクに記録されたＪＰＥＧファイルやＭＰＥＧ４ファイルなどの再生開始の処理やレジューム再生の処理に関する。
【背景技術】
【０００２】
近年、光ディスクとしてＤＶＤ（デジタル・バーサタイル・ディスク）が普及してきている。このようなＤＶＤには、静止画圧縮を行うＪＰＥＧや動画圧縮を行うＭＰＥＧ２などによる画像データ圧縮技術やオーディオデータ圧縮技術の採用により、様々な種類のデータが混在して記録されていると共に、各種の機能を実現するための制御データ（ナビゲーションパック情報等）が記録されている。また、従来から知られている光ディスクであるＣＤ（コンパクト・ディスク）においては、圧縮されたオーディオデータと共にＪＰＥＧによる静止画データも記録されている場合もある。
【０００３】
ＤＶＤに例えば映画を記録する場合、通常はビデオデータとオーディオデータが記録されるが、それ以外に複数の言語の字幕データを記録しておくことにより、ユーザが選択した言語の字幕を表示することが可能になる。また、映画監督や出演者のプロフィールなどの静止画データも記録させておくことにより、ユーザの操作によって、それらのプロフィールなどを表示することが可能になる。更に、ＤＶＤの再生動作を一時停止して、その後、再び再生動作をさせた場合、停止位置から再び再生を開始させる所謂レジューム機能が光ディスク再生装置に備えられている。
【０００４】
このようなレジューム機能を有する光ディスク再生装置においては、光ディスクの情報を再生している時に再生が停止すると、再生停止位置のアドレス情報がメモリに記憶され、その後、再び再生が開始されると、前記メモリに記憶されているアドレス情報に基づいて前記再生が停止された箇所から再生を開始する。即ち、このような光ディスク再生装置では、前回再生停止した箇所を自動的に探し、続きから再生できるようになっている。
【特許文献１】特開平８−２４９８６２号公報
【特許文献２】特開平２−１２２４８８号公報
【考案の開示】
【考案が解決しようとする課題】
【０００５】
ところで、従来の光ディスク再生装置において、ＪＰＥＧやＭＰＥＧ４で光ディスクに記録された静止画ファイルや動画ファイルのデータを再生しているときに、レジューム停止した後、停止した箇所から再び再生させるレジューム再生を行う際、ＪＰＥＧファイルやＭＰＥＧ４ファイルのデータ構造上の問題で、再生再開時には、予測を行わずに圧縮を行うフレーム内符号化画像であるＩピクチャが存在する時点まで遡った分までのデータブロックが必要となる。
【０００６】
したがって、従来の光ディスク再生装置では、ＪＰＥＧやＭＰＥＧ４で光ディスクに記録された静止画ファイルや動画ファイルのデータを再生しているときに、レジューム停止した後、停止した箇所から再び再生させるレジューム再生を行う際には、Ｉピクチャが存在する時点まで戻ってデータを読み出してデコード処理し再生を再開するようになっているので、特に、ＤＶＤローダーの読み出し性能が低い場合、ユーザが再生キーを押下してから、レジューム再生が開始するまでに時間が多くかかり、ユーザにとっては使い勝手が劣るという課題があった。特に、再生対象がＭＰＥＧ４ファイルは、１秒当りのデータ量が大きい場合があるが、この場合、ＤＶＤローダーの読み出しが遅いと間に合わなくなる。これによって、従来の光ディスク再生装置では、再生映像が飛び飛びの映像になったりするようなエラーが発生するという課題もあった。
【０００７】
なお、特許文献１の従来技術は、上位装置からのリードコマンドで記憶媒体の所定のアドレスからアドレス情報およびデータを読み出しバッファに格納すると共に、次回操作時にリードコマンドで指示されるアドレス情報に対応するデータがバッファにあるときは、前記格納されているデータを上位位置に転送することにより、上位装置からのリードコマンドに対して迅速に応答し、媒体ローディング後の媒体アクセスの高速化を図ることができるようにしているが、この従来技術は、光ディスク再生装置においてレジューム再生を早める処理に関しては開示されていない。
【０００８】
特許文献２の従来技術は、ディスクがロードされたときに、ピックアップを所定の位置に移動させて、アドレス部分のデータを読み出し、このデータを記憶手段に記憶させ、この後、ホストシステムからデータの読み出し命令が発行されたときに、記憶手段に記憶されたデータを転送するように制御するようにしているが、この従来技術も、光ディスク再生装置においてレジューム再生を早める処理に関しては開示されていない。
【０００９】
本考案は、上記のような課題を解決するためになされたもので、ＤＶＤローダーの読み出し性能が低い場合でも、ＪＰＥＧファイルやＭＰＥＧ４ファイルなどのレジューム再生を早めることができる複合型記録再生装置を提供することを目的とする。
【課題を解決するための手段】
【００１０】
上記目的を達成するために、請求項１の考案は、挿入された光ディスクに記録されているファイルがＪＰＥＧファイル／ＭＰＥＧ４ファイルであるか否かを判定するファイル判定手段と、前記ファイルがＪＰＥＧファイル／ＭＰＥＧ４ファイルであると判定された後、ＪＰＥＧファイル／ＭＰＥＧ４ファイルのデータが再生されている時に停止操作を検知すると、再生再開時に必要なデータブロックを前記光ディスクから読み出してバッファデータとして前記ハードディスクに書き込ませるバッファデータ書き込み手段と、再生再開要求を受け付けたときに、前記光ディスクに対する要求アドレスを前記ハードディスクに対する要求アドレスに変換する要求アドレス変換手段と、前記ハードディスク内に前記変換された要求アドレスが有るか否かを判定する要求アドレス有無判定手段と、前記ハードディスク内に前記変換された要求アドレスが有ると判定されたときに、前記ハードディスク内の前記要求アドレスに対応するバッファデータを読み出すバッファデータ読み出し手段と、前記光ディスクからの再生再開時に必要なデータブロックをデコーダに与えてデコードさせる代わりに、前記ハードディスクから読み出されたバッファデータを前記デコーダに与えてデコードさせるデコード制御手段と、を有するシステムコントローラを備えたことを特徴とする複合型記録再生装置を提供する。
【００１１】
この構成において、ファイル判定手段は、光ディスクに記録されているファイルがＪＰＥＧやＭＰＥＧ４のファイルであるか否かを判定する。光ディスクに記録されているファイルがＪＰＥＧやＭＰＥＧ４のファイルであると判定され、再生中に、バッファデータ書き込み手段は、停止操作を検知すると、再生再開時に必要なデータブロックを光ディスクから読み出してバッファデータとしてハードディスクに書き込ませる。この後、前記停止操作によりレジューム停止した状態から、再び続きのデータを光ディスクより再生させるため、要求アドレス変換手段は、再生再開要求を受け付けたときに、光ディスクに対する要求アドレスをハードディスクに対する要求アドレスに変換する。
【００１２】
次に、要求アドレス有無判定手段は、ハードディスクに前記変換された要求アドレスが有るか否かを判定する。ハードディスクに前記変換された要求アドレスが有ると判定されたとき、バッファデータ読み出し手段は、ハードディスク装置を再生動作させ、ハードディスク内の前記要求アドレスに対応するバッファデータを読み出す。そして、デコード制御手段は、光ディスクからの再生再開時に必要なデータブロックをデコーダに与えてデコードさせる代わりに、ハードディスクから読み出されたバッファデータをデコーダに与えてデコードさせる。
【００１３】
この構成によれば、ＪＰＥＧファイル／ＭＰＥＧ４ファイルの再生中にレジューム停止した後、再生再開時に必要となるデータブロックに対する読み出し要求があると、光ディスクの記録領域をアクセスせずに、ハードディスクの記録領域をアクセスして前記データブロックのバッファデータを読み出す。これにより、光ディスクに記録されたデータブロックの代わりに、ハードディスクに記録されたバッファデータが速く読み出されることになり、再生再開の待ち時間短縮や高ビットレートのファイル再生における転送が間に合わないなどのエラーを回避することができる。
【００１４】
請求項２の考案は、光ディスクに対して情報の記録／再生を行う光ディスク装置と、ハードディスクに対して情報の記録／再生を行うハードディスク装置とを備えた複合型記録再生装置において、挿入された光ディスクに記録されているファイルが所定の圧縮方式で圧縮された静止画ファイル／動画ファイルであるか否かを判定するファイル判定手段と、前記ファイルが所定の圧縮方式で圧縮された静止画ファイル／動画ファイルであると判定された後、所定の圧縮方式で圧縮された静止画ファイル／動画ファイルのデータが再生されている時に停止操作を検知すると、再生再開時に必要なデータブロックを前記光ディスクから読み出してバッファデータとして前記ハードディスクに書き込ませるバッファデータ書き込み手段と、再生再開要求を受け付けたときに、前記光ディスクに対する要求アドレスを前記ハードディスクに対する要求アドレスに変換する要求アドレス変換手段と、前記ハードディスク内に前記変換された要求アドレスが有るか否かを判定する要求アドレス有無判定手段と、前記ハードディスク内に前記変換された要求アドレスが有ると判定されたときに、前記ハードディスク内の前記要求アドレスに対応するバッファデータを読み出すバッファデータ読み出し手段と、前記光ディスクからの再生再開時に必要なデータブロックをデコーダに与えてデコードさせる代わりに、前記ハードディスクから読み出されたバッファデータを前記デコーダに与えてデコードさせるデコード制御手段と、を有するシステムコントローラを備えたことを特徴とする複合型記録再生装置を提供する。
【００１５】
この構成において、ファイル判定手段は、光ディスクに記録されているファイルがＪＰＥＧやＭＰＥＧ４のファイルであるか否かを判定する。光ディスクに記録されているファイルが所定の圧縮方式で圧縮された静止画ファイル／動画ファイルであると判定され、再生中に、バッファデータ書き込み手段は、停止操作を検知すると、再生再開時に必要なデータブロックを光ディスクから読み出してバッファデータとしてハードディスクに書き込ませる。この後、前記停止操作によりレジューム停止した状態から、再び続きのデータを光ディスクより再生させるため、要求アドレス変換手段は、再生再開要求を受け付けたときに、光ディスクに対する要求アドレスをハードディスクに対する要求アドレスに変換する。
【００１６】
次に、要求アドレス有無判定手段は、ハードディスクに前記変換された要求アドレスが有るか否かを判定する。ハードディスクに前記変換された要求アドレスが有ると判定されたとき、バッファデータ読み出し手段は、ハードディスク装置を再生動作させ、ハードディスク内の前記要求アドレスに対応するバッファデータを読み出す。そして、デコード制御手段は、光ディスクからの再生再開時に必要なデータブロックをデコーダに与えてデコードさせる代わりに、ハードディスクから読み出されたバッファデータをデコーダに与えてデコードさせる。
【００１７】
この構成によれば、所定の圧縮方式で圧縮された静止画ファイル／動画ファイルの再生中にレジューム停止した後、再生再開時に必要となるデータブロックに対する読み出し要求があると、光ディスクの記録領域をアクセスせずに、ハードディスクの記録領域をアクセスして前記データブロックのバッファデータを読み出す。これにより、光ディスクに記録されたデータブロックの代わりに、ハードディスクに記録されたバッファデータが速く読み出されることになり、再生再開の待ち時間短縮や高ビットレートのファイル再生における転送が間に合わないなどのエラーを回避することができる。
【００１８】
請求項３の考案では、請求項２の考案において、所定の圧縮方式で圧縮された静止画ファイル／動画ファイルとは、ＪＰＥＧファイル／ＭＰＥＧ４ファイルのようにＤＶＤビデオ規格のファイルとは異なる静止画ファイル／動画ファイルであるので、ＪＰＥＧファイル／ＭＰＥＧ４ファイルなどに対するレジューム再生をも早めることが可能になる。
【考案の効果】
【００１９】
以上のように本考案によれば、挿入された光ディスクに記録されているファイルがＪＰＥＧファイル／ＭＰＥＧ４ファイルであるか否かを判定するファイル判定手段と、前記ファイルがＪＰＥＧファイル／ＭＰＥＧ４ファイルであると判定された後、ＪＰＥＧファイル／ＭＰＥＧ４ファイルのデータが再生されている時に停止操作を検知すると、再生再開時に必要なデータブロックを前記光ディスクから読み出してバッファデータとして前記ハードディスクに書き込ませるバッファデータ書き込み手段と、再生再開要求を受け付けたときに、前記光ディスクに対する要求アドレスをハードディスクに対する要求アドレスに変換する要求アドレス変換手段と、前記ハードディスク内に前記変換された要求アドレスが有るか否かを判定する要求アドレス有無判定手段と、前記ハードディスク内に前記変換された要求アドレスが有ると判定されたときに、前記ハードディスク内の前記要求アドレスに対応するバッファデータを読み出すバッファデータ読み出し手段と、前記光ディスクからの再生再開時に必要なデータブロックをデコーダに与えてデコードさせる代わりに、前記ハードディスクから読み出されたバッファデータを前記デコーダに与えてデコードさせるデコード制御手段と、を有するシステムコントローラを備えたので、ＪＰＥＧファイル／ＭＰＥＧ４ファイルの再生中にレジューム停止した後、再生再開時に必要となるデータブロックに対する読み出し要求があると、光ディスクの記録領域をアクセスせずに、ハードディスクの記録領域をアクセスして前記データブロックのバッファデータを読み出す。これにより、光ディスクに記録されたデータブロックの代わりに、ハードディスクに記録されたバッファデータが速く読み出されることになり、再生再開の待ち時間短縮や高ビットレートのファイル再生における転送が間に合わないなどのエラーを回避することができる。
【００２０】
また、本考案によれば、光ディスクに対して情報の記録／再生を行う光ディスク装置と、ハードディスクに対して情報の記録／再生を行うハードディスク装置とを備えた複合型記録再生装置において、挿入された光ディスクに記録されているファイルが所定の圧縮方式で圧縮された静止画ファイル／動画ファイルであるか否かを判定するファイル判定手段と、前記ファイルが所定の圧縮方式で圧縮された静止画ファイル／動画ファイルであると判定された後、所定の圧縮方式で圧縮された静止画ファイル／動画ファイルのデータが再生されている時に停止操作を検知すると、再生再開時に必要なデータブロックを前記光ディスクから読み出してバッファデータとして前記ハードディスクに書き込ませるバッファデータ書き込み手段と、再生再開要求を受け付けたときに、前記光ディスクに対する要求アドレスを前記ハードディスクに対する要求アドレスに変換する要求アドレス変換手段と、前記ハードディスク内に前記変換された要求アドレスが有るか否かを判定する要求アドレス有無判定手段と、前記ハードディスク内に前記変換された要求アドレスが有ると判定されたときに、前記ハードディスク内の前記要求アドレスに対応するバッファデータを読み出すバッファデータ読み出し手段と、前記光ディスクからの再生再開時に必要なデータブロックをデコーダに与えてデコードさせる代わりに、前記ハードディスクから読み出されたバッファデータを前記デコーダに与えてデコードさせるデコード制御手段と、を有するシステムコントローラを備えたので、所定の圧縮方式で圧縮された静止画ファイル／動画ファイルの再生中にレジューム停止した後、再生再開時に必要となるデータブロックに対する読み出し要求があると、光ディスクの記録領域をアクセスせずに、ハードディスクの記録領域をアクセスして前記データブロックのバッファデータを読み出す。これにより、光ディスクに記録されたデータブロックの代わりに、ハードディスクに記録されたバッファデータが速く読み出されることになり、再生再開の待ち時間短縮や高ビットレートのファイル再生における転送が間に合わないなどのエラーを回避することができる。
【考案を実施するための最良の形態】
【００２１】
以下、添付図面を参照しつつ、本考案の実施の形態について説明する。図１は本考案の一実施形態に係る複合型記録再生装置の構成を示すブロック図である。
【００２２】
この複合型記録再生装置１は、光ディスクとしてのＤＶＤ（デジタル・バーサタイル・ディスク）１３に対して情報の記録／再生を行うＤＶＤレコーダである光ディスク装置２と、ＨＤ（ハードディスク）１４に対して情報の記録／再生を行うＨＤＤ（ハードディスクドライブ）であるハードディスク装置３と、図示しないアンテナからのテレビ放送信号を受信し、所望のチャンネルのテレビ放送信号を選択して映像音声信号として出力するチューナ４と、光ディスク装置２またはハードディスク装置３またはチューナ４から出力された映像音声信号を復号するデコーダ５と、チューナ４が受信可能な放送チャンネルを記憶すると共にシステムコントローラ１０の動作に必要なプログラムなどを記憶するフラッシュＲＯＭ６と、デコーダ５で復号された映像信号をモニタ装置（テレビ受信機など）１２で表示可能な映像信号に変換する映像出力部７と、デコーダ５で復号された音声信号をモニタ装置１２で出力可能な音声信号に変換する音声出力部８と、リモコン１１から送信された赤外光の各種の指令信号を受信し、受信した赤外光の指令信号を電気信号の指令信号に変換し、この指令信号をシステムコントローラ１０に入力するリモコン受信部９と、装置全体を制御する前記システムコントローラ１０とを備えている。
【００２３】
システムコントローラ１０は、本実施形態の特徴として、挿入されたＤＶＤ１３に記録されているファイルがＪＰＥＧファイル／ＭＰＥＧ４ファイルであるか否かを判定するファイル判定手段と、前記ファイルがＪＰＥＧファイル／ＭＰＥＧ４ファイルであると判定された後、ＪＰＥＧファイル／ＭＰＥＧ４ファイルのデータが再生されている時に停止操作を検知すると、再生再開時に必要なデータブロックをＤＶＤ１３から読み出してバッファデータとしてＨＤ１４に書き込ませるバッファデータ書き込み手段と、再生再開要求を受け付けたときに、ＤＶＤ１３に対する要求アドレスをＨＤ１４に対する要求アドレスに変換する要求アドレス変換手段と、ＨＤ１４内に前記変換された要求アドレスが有るか否かを判定する要求アドレス有無判定手段と、ＨＤ１４内に前記変換された要求アドレスが有ると判定されたときに、ＨＤ１４内の前記要求アドレスに対応するバッファデータを読み出すバッファデータ読み出し手段と、ＤＶＤ１３からの再生再開時に必要なデータブロックをデコーダ５に与えてデコードさせる代わりに、ＨＤ１４から読み出されたバッファデータをデコーダ５に与えてデコードさせるデコード制御手段とを有する。
【００２４】
図２は本実施形態においてＤＶＤに記録されているＪＰＥＧファイル／ＭＰＥＧ４ファイルのデータを再生している際中にレジューム停止した時にハードディスクに保存されるデータの状態を説明するための図である。
【００２５】
図２において、２１はＤＶＤ１３（図１参照）の記録領域の一部を示し、この記録領域２１において２３は、レジューム停止された後、再生再開時に必要となるデータブロックを示している。２２はＨＤ１４（図１参照）の記録領域の一部を示し、この記録領域２２において２４は、レジューム停止された後、再生再開時に必要となるデータブロックがＤＶＤ１３から読み出されて保存されているバッファデータを示している。図２において、時点ｔでレジューム停止しても、再生再開時に必要となるデータブロック２３は、予測を行わずに圧縮を行うフレーム内符号化画像であるＩピクチャが存在する時点Ｔまで遡った分までのデータになる。
【００２６】
図３は本実施形態においてＤＶＤに記録されているＪＰＥＧファイル／ＭＰＥＧ４ファイルのデータを再生している際中にレジューム停止した後に再び再生が開始した時にハードディスクに保存されるデータを読み出す状態を説明するための図である。
【００２７】
図３において、２１はＤＶＤ１３（図１参照）の記録領域の一部を示し、この記録領域２１において２３は、レジューム停止された後、再生再開時に必要となるデータブロックを示している。２２はＨＤ１４（図１参照）の記録領域の一部を示し、この記録領域２２において２４は、レジューム停止された後、再生再開時に必要となるデータブロックがＤＶＤ１３から読み出されて保存されているバッファデータを示している。図３において、レジューム停止した後、再生再開時に必要となるデータブロック２３に対する読み出し要求があると、ＤＶＤ１３の記録領域２１をアクセスせずに、ＨＤ１４の記録領域２２をアクセスしてバッファデータ２４を読み出す。これにより、データブロック２３の代わりにバッファデータ２４が速く読み出されることになり、再生再開の待ち時間短縮や高ビットレートのファイル再生における転送が間に合わないなどのエラーを回避することができる。
【００２８】
図４は本実施形態においてＤＶＤに対する再生開始処理とレジューム停止処理と再生再開時の処理とを説明するためのフローチャートである。このフローチャートおよび図１〜図３を参照してＤＶＤに対する再生開始処理とレジューム停止処理と再生再開時の処理とについて説明する。
【００２９】
先ず、ＤＶＤ１３が装置に挿入されると、システムコントローラ２２は、光ディスク１の挿入を検知し（ステップＳ１）、ＤＶＤ１３を少し回転させると共に図示しない光ピックアップを駆動させ、ＤＶＤ１３の管理領域からディスク管理情報を読み出す処理である所謂マウント処理を行って（ステップＳ２）、システムコントローラ２２のファイル判定手段は、ＤＶＤ１３に記録されているファイルがＪＰＥＧやＭＰＥＧ４のファイルであるか否かを判定する（ステップＳ３）。
【００３０】
ＤＶＤ１３に記録されているファイルがＪＰＥＧやＭＰＥＧ４のファイルでないと判定された場合は、システムコントローラ１０は、ＪＰＥＧやＭＰＥＧ４のファイルでないファイル（ＭＰＥＧ２などのファイル）に対して通常通りの処理を実行させるが（ステップＳ４）、ＤＶＤ１３に記録されているファイルがＪＰＥＧやＭＰＥＧ４のファイルであると判定された場合において、この後、リモコン１１の再生キー（または図示しない本体操作部の再生キー）が押下されると、システムコントローラ１０は、再生キーが押下されたことを検知し（ステップＳ５）、これにより、光ディスク装置２を再生動作させ、ＤＶＤ１３に対する再生を開始させる（ステップＳ６）。
【００３１】
そして、再生中に、リモコン１１の停止キー（または図示しない本体操作部の停止キー）が押下されると、システムコントローラ１０は、停止キーが押下されたことを検知し（ステップＳ７）、これにより、光ディスク装置２を停止動作させ、ＤＶＤ１３に対する再生を停止させる（ステップＳ８）。この再生の停止は、ＪＰＥＧファイル／ＭＰＥＧ４ファイルのデータ再生のレジューム停止となる。なお、停止キーの代わりに一時停止キーが押下された場合も、同様にレジューム停止される。
【００３２】
また、システムコントローラ１０のバッファデータ書き込み手段は、ＪＰＥＧファイル／ＭＰＥＧ４ファイルのデータが再生されている時に停止操作を検知すると（ステップＳ７）、光ディスク装置２を再生動作させると共にハードディスク装置３を記録動作させ、再生再開時に必要なデータブロックをＤＶＤ１３から読み出してバッファデータとしてＨＤ１４に書き込ませる（ステップＳ９）。
【００３３】
この後、前記レジューム停止した状態から、再び続きのデータをＤＶＤ１３より再生させるため、ユーザによって再生キーが押下されると、システムコントローラ１０は、再生キーが押下されたことを検知し（ステップＳ１０）、再生再開要求を受け付けたときに（ステップＳ１１）、システムコントローラ１０の要求アドレス変換手段は、ＤＶＤ１３に対する要求アドレス（レジューム再生させるデータが記録されているＤＶＤ１３上のアドレス）をＨＤ１４に対する要求アドレス（レジューム再生させるバッファデータが記録されているＨＤ１４上のアドレス）に変換する（ステップＳ１２）。
【００３４】
次に、システムコントローラ１０の要求アドレス有無判定手段は、ＨＤ１４内に前記変換された要求アドレスが有るか否かを判定する（ステップＳ１３）。この例の場合は、ステップＳ９において、バッファデータがＨＤ１４に書き込まれており、そのバッファデータが書き込まれているアドレスが要求アドレスに相当するので、ＨＤ１４内に前記変換された要求アドレスが有ると判定される。次に、システムコントローラ１０のバッファデータ読み出し手段は、ハードディスク装置３を再生動作させ、ＨＤ１４内の前記要求アドレスに対応するバッファデータを読み出す（ステップＳ１４）。そして、システムコントローラ１０のデコード制御手段は、ＤＶＤ１３からの再生再開時に必要なデータブロックをデコーダ５に与えてデコードさせる代わりに、ＨＤ１４から読み出されたバッファデータをデコーダ５に与えてデコードを開始させる（ステップＳ１５）。
【００３５】
以上説明したように、所定の圧縮方式で圧縮された静止画ファイル／動画ファイルの再生中にレジューム停止した後、レジューム停止した後、再生再開時に必要となる例えば、データブロック２３（図３参照）に対する読み出し要求があると、ＤＶＤ１３の記録領域２１（図３参照）をアクセスせずに、ＨＤ１４の記録領域２２（図３参照）をアクセスしてバッファデータ２４を読み出す。これにより、データブロック２３の代わりにバッファデータ２４が速く読み出されることになり、再生再開の待ち時間短縮や高ビットレートのファイル再生における転送が間に合わないなどのエラーを回避することができる。
【００３６】
即ち、本実施形態の複合型記録再生装置では、ＤＶＤ１３に対して低価格などを目的とした低速なローディングを行うＤＶＤローダーを有する光ディスク装置２を使用し、ＪＰＥＧファイルやＭＰＥＧ４ファイル（ＤｉｖＸファイル、ＸｖｉＤファイル）などＤＶＤ−ＶＩＤＥＯ規格のファイルとは異なる静止画再生や動画再生を行う場合に、レジューム停止した後、ユーザが操作を行っていない期間に、ＨＤＤ（ハードディスクドライブ）であるハードディスク装置３のＨＤ（ハードディスク）１４にＣＤ／ＤＶＤメディア上のアドレスとデータを予めバッファする。そして、次回操作（レジューム再生操作）において、ＣＤ／ＤＶＤメディアからのデータの読み出し要求があり、バッファ済みのアドレスのデータがＨＤ１４に有る場合は、そのバッファ済みのアドレスのデータをデコーダ５に転送することで、早くデコード処理が完了し、レジューム再生を早める。ＤＶＤ１３に比べＨＤ１４の方がデータの転送速度が速いことを利用することで、再生再開の待ち時間短縮や高ビットレートのファイル再生における転送が間に合わないなどのエラーを回避することができる。
【産業上の利用可能性】
【００３７】
本考案は、ＤＶＤレコーダとハードディスクレコーダとを備えた複合型記録再生装置におけるレジューム再生機能に利用することが可能である。
【図面の簡単な説明】
【００３８】
【図１】本考案の一実施形態に係る複合型記録再生装置の構成を示すブロック図である。
【図２】前記実施形態においてＤＶＤに記録されているＪＰＥＧファイル／ＭＰＥＧ４ファイルのデータを再生している際中にレジューム停止した時にハードディスクに保存されるデータの状態を説明するための図である。
【図３】前記実施形態においてＤＶＤに記録されているＪＰＥＧファイル／ＭＰＥＧ４ファイルのデータを再生している際中にレジューム停止した後に再び再生が開始した時にハードディスクに保存されるデータを読み出す状態を説明するための図である。
【図４】前記実施形態においてＤＶＤに対する再生開始処理とレジューム停止処理と再生再開時の処理とを説明するためのフローチャートである。
【符号の説明】
【００３９】
２    光ディスク装置
３    ハードディスク装置
５    デコーダ
１０    システムコントローラ（ファイル判定手段、バッファデータ書き込み手段、要求アドレス変換手段、要求アドレス有無判定手段、バッファデータ読み出し手段、デコード制御手段）
１３    ＤＶＤ（光ディスク）
１４    ＨＤ（ハードディスク）
【図１】
0003126030.tif 000003
【図２】
0003126030.tif 000004
【図３】
0003126030.tif 000005
【図４】
0003126030.tif 000006